【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
アプリケーションを制御するための方法であって、
ユーザデバイスのインターフェースに表示されるフォアグラウンドアプリケーションを動作させるステップと、
前記ユーザデバイスのバックグラウンドで少なくとも1つのアプリケーションを動作させるステップと、
前記ユーザデバイスのユーザからの非接触のジェスチャ入力を検出するステップと、
前記フォアグラウンドアプリケーションが非接触のジェスチャをサポートする能力を有するかどうかを判定するステップと、
前記フォアグラウンドアプリケーションが非接触のジェスチャをサポートする場合、前記フォアグラウンドアプリケーションと前記バックグラウンドアプリケーションとが異なる非接触のジェスチャ入力イベントのセットに対して登録されているかどうかを判断するステップと、
前記フォアグラウンドアプリケーションが前記バックグラウンドアプリケーションとは異なる非接触のジェスチャ入力イベントのセットに対して登録される場合、前記検出された非接触のジェスチャ入力を、前記非接触のジェスチャ入力が登録されるアプリケーションに経路付けるステップと、
前記フォアグラウンドアプリケーションが前記バックグラウンドアプリケーションに対して登録される入力イベントと同一の少なくとも1つの非接触のジェスチャ入力イベントに対して登録される場合、前記フォアグラウンドアプリケーションと前記バックグラウンドアプリケーションとの間で選択を行うステップと、
前記フォアグラウンドアプリケーションが非接触のジェスチャをサポートしない場合、最後に登録されたジェスチャアプリケーションに検出された非接触のジェスチャを提供するステップと、
を含む、方法。
【請求項２】
前記フォアグラウンドアプリケーションと前記バックグラウンドアプリケーションとの間で前記選択を行うステップが、所定の時間維持されるエンゲージメント姿勢を検出すること、および、前記ユーザが前記バックグラウンドアプリケーションに対する制御を切り替えられるようにするオーバーレイを示すことをさらに含む、請求項1に記載の方法。
【請求項３】
前記フォアグラウンドアプリケーションと前記バックグラウンドアプリケーションとの間で前記選択を行うステップが、所定の時間維持されるエンゲージメント姿勢を検出すること、および、前記フォアグラウンドアプリケーションへのフォーカスを失うことなく前記バックグラウンドアプリケーションを制御するように自動的に切り替えることをさらに含む、請求項1に記載の方法。
【請求項４】
前記フォアグラウンドアプリケーションと前記バックグラウンドアプリケーションとの間で前記選択を行うステップが、前記ユーザが前記バックグラウンドアプリケーションにエンゲージするのを望むことを示す特定の非接触のジェスチャ入力を検出することをさらに含み、前記バックグラウンドアプリケーションは複数のバックグラウンドアプリケーションのうちの1つである、請求項1に記載の方法。
【請求項５】
前記フォアグラウンドアプリケーションと前記バックグラウンドアプリケーションとの間で前記選択を行うステップが、2つ以上のアプリケーションの間で選択をするために割り当てられた単一の非接触のジェスチャ入力を検出することをさらに含む、請求項1に記載の方法。
【請求項６】
前記バックグラウンドアプリケーションが起動するときに特定の非接触のジェスチャ入力に対して前記バックグラウンドアプリケーションを登録するステップと、前記バックグラウンドアプリケーションが終了するときに前記バックグラウンドアプリケーションの登録を取り消すステップとをさらに含む、請求項1に記載の方法。
【請求項７】
アプリケーションを制御するための装置であって、
表示するための手段に表示されるフォアグラウンドアプリケーションを動作させるための手段と、
バックグラウンドで少なくとも1つのアプリケーションを動作させるための手段と、
前記装置のユーザからの非接触のジェスチャ入力を検出するための手段と、
前記フォアグラウンドアプリケーションが非接触のジェスチャをサポートする能力を有するかどうかを判定するための手段と、
前記フォアグラウンドアプリケーションが前記バックグラウンドアプリケーションとは異なる非接触のジェスチャ入力イベントのセットに対して登録され、前記フォアグラウンドアプリケーションが非接触のジェスチャをサポートする場合、前記検出された非接触のジェスチャ入力イベントを、前記非接触のジェスチャ入力が登録されるアプリケーションに経路付けるための手段と、
前記フォアグラウンドアプリケーションが前記バックグラウンドアプリケーションに対して登録される入力イベントと同一の少なくとも1つの非接触のジェスチャ入力イベントに対して登録される場合、前記フォアグラウンドアプリケーションと前記バックグラウンドアプリケーションとの間で選択を行うための手段と、
前記フォアグラウンドアプリケーションが非接触のジェスチャをサポートしない場合、最後に登録されたジェスチャアプリケーションに検出された非接触のジェスチャを提供するための手段と
を含む、装置。
【請求項８】
前記フォアグラウンドアプリケーションと前記バックグラウンドアプリケーションとの間で前記選択を行うための手段が、所定の時間維持されるエンゲージメント姿勢を検出するための手段、および、前記ユーザが前記バックグラウンドアプリケーションに対する制御を切り替えられるようにするオーバーレイを示すための手段をさらに含む、請求項7に記載の装置。
【請求項９】
前記フォアグラウンドアプリケーションと前記バックグラウンドアプリケーションとの間で前記選択を行うための手段が、所定の時間維持されるエンゲージメント姿勢を検出するための手段、および、前記フォアグラウンドアプリケーションへのフォーカスを失うことなく前記バックグラウンドアプリケーションを制御するように自動的に切り替えるための手段をさらに含む、請求項7に記載の装置。
【請求項１０】
前記フォアグラウンドアプリケーションと前記バックグラウンドアプリケーションとの間で前記選択を行うための手段が、前記ユーザが前記バックグラウンドアプリケーションにエンゲージするのを望むことを示す特定の非接触のジェスチャ入力を検出するための手段ことをさらに含み、前記バックグラウンドアプリケーションは複数のバックグラウンドアプリケーションのうちの1つを含む、請求項7に記載の装置。
【請求項１１】
前記フォアグラウンドアプリケーションと前記バックグラウンドアプリケーションとの間で前記選択を行うための手段が、2つ以上のアプリケーションの間で選択をするために割り当てられた単一の非接触のジェスチャ入力を検出するための手段をさらに含む、請求項7に記載の装置。
【請求項１２】
バックグラウンドにおける前記少なくとも1つのアプリケーションの1つまたは複数が起動するときに特定の非接触のジェスチャ入力に対して前記バックグラウンドにおける前記少なくとも1つのアプリケーションの1つまたは複数を登録するための手段と、前記バックグラウンドにおける前記少なくとも1つのアプリケーションの1つまたは複数が終了するときに登録を取り消すための手段とをさらに含む、請求項7に記載の装置。
【請求項１３】
非一時的コンピュータ可読記憶媒体であって、前記非一時的コンピュータ可読記憶媒体に記憶されたコンピュータ可読命令は、プロセッサによって実行されると、前記プロセッサに、請求項1乃至6の何れか1項に記載の方法を実行させる、非一時的コンピュータ可読記憶媒体。